(57)【要約】【課題】住宅の新築工事やリフォーム工事の際に、美観を向上させることで工事現場の環境を向上させ、且つ工事に対する通行人の関心をひく。【解決手段】メッシュシートＡは、住宅工事中の足場の周囲を覆うメッシュシートの生地１の一方側の端部から縦長の絵柄となる樹木２を形成する。樹木２の周りに動物３ａ〜３ｅを配置する。メッシュシートＣは、生地１の反対側の端部に横長の絵柄４を形成する。【選択図】              図４
2004285724.tif 000002
【特許請求の範囲】
【請求項１】
住宅工事中の足場の周囲を覆うメッシュシートであって、一方側の端部から所定の長さ範囲に縦長の絵柄を形成したことを特徴とする足場養生用のメッシュシート。
【請求項２】
他方側の端部から所定長さ範囲に横長で遠方からの視認性を確保し得る絵柄を形成したことを特徴とする請求項１に記載した足場養生用のメッシュシート。
【請求項３】
工事中の住宅に設置された足場に請求項１又は２に記載された足場養生用のメッシュシートを多数枚繋ぎ合わせて並べることを特徴とする工事中の住宅の展示方法。
【発明の詳細な説明】
【０００１】
【発明の属する技術分野】
本発明は、所定の範囲に絵柄を形成した足場養生用のメッシュシートと、このメッシュシートによって住宅の新築工事やリフォーム工事の際に設置された足場の周囲を覆うことで、工事現場のイメージを変えることが出来る住宅の展示方法に関するものである。
【０００２】
【従来の技術】
住宅の新築工事現場や保守，補修工事現場或いはリフォームの工事現場を含む外壁に沿って足場を組んだ工事現場では、この足場に沿って養生用のメッシュシートを設置することで、工事中の建物を覆うと共に工事に伴って発生する粉塵等の周囲への飛散を防止し、且つ落下物による事故を防止している。
【０００３】
住宅の工事現場で使用される足場養生用のメッシュシートは予め設定されたメッシュで編み込まれたシートであり、住宅地で利用されることから、派手さのない青或いは紺系の色、灰色，緑色，白色の色が主に提供されている。またメッシュシートに印刷する技術としては、いったんスクリーン印刷によって中間的な媒体に印刷層を形成し、この印刷層を加熱，加圧してメッシュシートに転写するような技術が提案されている（例えば特許文献１参照）。
【０００４】
一方、住宅の工事現場は住宅地に於ける比較的に狭い場所であるのが一般的であり、周囲に備品や部材が交錯しがちで、外部から見たときに雑然とした感があることは否めない。このため通行人や周囲の人から敬遠され、これらの人々が近寄って見学するようなこともない。
【０００５】
【特許文献１】
特開平８−３３７０４１号公報
【０００６】
【発明が解決しようとする課題】
上記の如く、足場養生用のメッシュシートでは印刷方法に関する技術は存在するものの、住宅地に於ける工事現場で使用する足場養生用として最適な絵柄を印刷したメッシュシートは提案されていないという問題がある。
【０００７】
また住宅の工事現場では、新築工事，リフォーム工事に関わらず、搬入された部品が積み上げられていたり、土砂が積み上げられていとりして雑然としており、更に、工事現場は通行人が出入りし得ない場所としての観念があり、どうしても周囲の環境や通行人から遊離しがちであるという問題もある。
【０００８】
本発明の目的は、美観を向上させることで、近隣住民の持つ建築の工事現場に対する悪いイメージを和らげて工事現場の環境を向上させることが可能な足場養生用のメッシュシートと、このメッシュシートを用いることで周辺の住環境に配慮し、且つ工事に対する通行人の関心をひくことが出来る展示方法を提供することにある。
【０００９】
【課題を解決するための手段】
上記課題を解決するために本発明に係るメッシュシートは、住宅工事中の足場の周囲を覆うメッシュシートであって、一方側の端部から所定の長さ範囲に縦長の絵柄を形成したものである。
【００１０】
上記メッシュシートでは、一方側の端部から所定長さの範囲に縦長の絵柄を印刷したので、該メッシュシートを足場の周囲に設置する際に一方側の端部を地上側とすることで、縦長の絵柄を略地上から形成したように見せて工事中の住宅の近くを通行人の視覚に印象を与えることが出来る。
【００１１】
特に、縦長の絵柄として樹木を印刷しておき、このメッシュシートを多数枚連続的に設置することによって、工事中の住宅の周囲に恰も森林が出現したかの如き印象を与えることが出来る。従って、工事現場の環境を向上させることが出来、工事現場のイメージを向上させることが出来る。
【００１２】
上記メッシュシートに於いて、他方側の端部から所定長さ範囲に横長で遠方からの視認性を確保し得る絵柄を形成することが好ましい。メッシュシートをこのように構成することで、工事現場から離隔した遠方からこのメッシュシートを視認することが出来る。従って、移動する自動車や電車等から上記横長の絵柄を視認することで、工事中の住宅が存在することを認識することが出来る。
【００１３】
また本発明に係る工事中の住宅の展示方法は、工事中の住宅に設置された足場に上記何れかのメッシュシートを多数枚繋ぎ合わせて並べることを特徴とするものである。
【００１４】
上記工事中の住宅の展示方法では、上記した何れかのメッシュシートによって足場を覆うことで、近くを通る通行人は略地上から形成された縦長の絵柄を視認することが出来、遠方を通る自動車や電車からは上端部分に形成された横長の絵柄を視認することが出来る。
【００１５】
このため、縦長の絵柄を周辺の環境を向上させることが可能なもの、或いは通行人を注意を喚起し得るような絵柄とすることで工事現場であるにも関わらず美観を向上させることが出来る。また横長の絵柄を遠方から視認することで、視認したメッシュシートが工事中の住宅であることを認識することが可能となり、工事現場の案内機能を発揮させることが出来、現場への来場、更には工事現場への気楽な立ち入りや見学に結び付けることが出来る。
【００１６】
【発明の実施の形態】
以下、本発明に係るメッシュシート及び展示方法の好ましい実施形態について説明する。本発明のメッシュシートは、基本となるシートの生地は通常の足場養生用として利用されているメッシュシートと何ら変わることはなく、通常のメッシュシートに対し、一方の端部側から縦長の絵柄を形成したものである。また他方の端部側には横長の絵柄を形成したものである。
【００１７】
メッシュシートの色は特に限定するものではない。現在、一般的に提供されているメッシュシートは、主に青系或いは紺系，緑系，灰系の色を用いている。このため、メッシュシートに形成する絵柄に合わせて最適な色を選択することが好ましい。
【００１８】
またメッシュシートの寸法は、長さ（足場の周囲に設置したとき高さ方向となる）が２階建ての高さに相当する６４０ｃｍ〜６８０ｃｍ程度、及び３階建ての高さに相当するに９５０ｃｍ〜１０００ｃｍ程度に設定され、幅は６０ｃｍ，９０ｃｍ，１２０ｃｍ，１３５ｃｍ，１８０ｃｍの複数の寸法が設定されている。
【００１９】
一方側の端部から形成される縦長の絵柄として特に限定するものではないが、例えば樹木のようなものであることが好ましく、メッシュシートの幅が変化したとき、基本的な絵柄となる樹木に他の絵柄、例えば動物や鳥或いは草花等を付加してゆくことが好ましい。
【００２０】
メッシュシートの幅が異なる場合、基本となる縦長の絵柄を同一或いは類似した絵柄とし、メッシュシートの幅に対応させて数を変化させ、或いは間隔を変化させることが好ましい。このようなメッシュシートを用いることで、複数のメッシュシートを並べて設置したとき、同一の絵柄が繰り返されることとなる。このため、絵柄が樹木である場合、この樹木の繰り返しによって、恰も工事現場に林が出現したかの如き景観を発揮させることが可能である。また基本となる縦長の絵柄に加えて、動物や鳥或いは草花の絵柄を付加した場合には、通行する子供達に強い印象を与えることが可能である。
【００２１】
縦長の絵柄はメッシュシートの長さ方向の全長にわたって形成される必要はなく、略中間部分の辺りまで形成されていれば良い。このように、メッシュシートの半分程度を生地のままの状態としておくと、高さ方向の余韻が生じて美観上好ましい。
【００２２】
メッシュシートの他方の端部側に形成される絵柄は横長で遠方からの視認性を確保し得る。このため、横長の絵柄としては比較的簡素で単純な形状のものであることが好ましい。特に、住宅メーカーや施工業者毎に独特の絵柄を設定しておくことで、遠方から工事中の住宅を確認することが可能となり、且つ工事中の現場の住宅メーカー或いは施工業者を認識することが可能となる。
【００２３】
メッシュシートの一方の端部側から縦長の絵柄を、他方の端部側に横長の絵柄を形成したとき、縦長の絵柄の先端部分と横長の絵柄との間に絵柄の存在しない緩衝部分を設けることが好ましい。このような緩衝部分を設けることによって、縦長の絵柄と横長の絵柄との差異が明確となり、夫々の意匠性をより印象付けることが可能となる。
【００２４】
メッシュシートに形成される縦長の絵柄や横長の絵柄は、現場内を暗くしないことにもつなげられるので、メッシュを構成する繊維に印刷することが好ましい。この場合、生地のメッシュはそのまま確保され、絵柄は生地の色の濃淡によって形成される。即ち、メッシュシートの生地となる部分の色彩の明度が高く、且つ絵柄部分の色彩の明度が低くなって絵柄の部分が浮き上がって見えるようになる。
【００２５】
またメッシュシートの生地に対する印刷は一方側の面から行うことが好ましい。このように、一方側の面に印刷を施した場合であっても、メッシュを構成する繊維の周りにインキが転写されるため該インキが繊維の周囲全体にはみ出し、裏面側から見ても絵柄を認識することが可能である。即ち、メッシュシートの生地の一方側の面からのみ印刷したにも関わらず、裏面側も恰も印刷を施したかの如く見ることが可能である。
【００２６】
またメッシュを構成する繊維に印刷することによって、メッシュを生地の状態で確保することが可能となり、印刷したメッシュシートを足場の周囲に設置した場合であっても、充分な通気性と明るさを確保することが可能で、且つ建物内を暗くすることもない。
【００２７】
本発明の展示方法では、工事中の住宅に設けた足場の周囲に一方の端部側から縦長の絵柄を形成した複数のメッシュシート、或いは一方の端部側から縦長の絵柄を他方の端部側に横長の絵柄を形成した複数のメッシュシートを、縦長の絵柄を形成した端部側を下側に配置して並べて設置することによって、足場の養生を行うと共に、現場の周囲を縦長の絵柄或いは縦長の絵柄と横長の絵柄とを横方向に連続させて、これらの絵柄による美観を向上させることが可能となる。
【００２８】
上記の如く展示した工事現場では、該工事現場の近くを通行する通行人は主として縦長の絵柄を視認して工事現場特有の雑然とした雰囲気を緩和することが可能であり、工事現場の遠方を通行する通行人は横長の絵柄を視認して住宅の工事現場が存在することを認識することが可能である。
【００２９】
次に、本発明に係るメッシュシートの幾つかの好ましい実施例について図を用いて説明し、合わせて展示方法について説明する。図１は第１実施例に係るメッシュシートの構成を説明する図である。図２は縦長の絵柄に付加する絵柄の例を説明する図である。図３は第２実施例に係るメッシュシートを説明する図である。図４は横長の絵柄の例を説明する図である。図５は第１実施例に係るメッシュシートによって養生した工事現場の例を説明する図である。図６は第２実施例に係るメッシュシートによって養生した工事現場の例を説明する図である。図７は上記例とは異なる縦長の絵柄を用いたメッシュシートによって養生した工事現場の例を説明する図である。図８も上記例とは異なる縦長の絵柄を用いたメッシュシートによって養生した工事現場の例を説明する図である。
【００３０】
先ず、図１により第１実施例に係るメッシュシートＡについて説明する。メッシュシートＡは、予め設定された寸法の生地１の一方の端部側から、縦長の絵柄としての樹木２が形成されている。この樹木２の絵柄としての長さは特に限定するものではないが、美観上では生地１の略半分程度（約２７０ｃｍ〜約３００ｃｍ）であることが好ましい。
【００３１】
樹木２の長さが大きくなりすぎた場合、美観の発揮よりも鬱陶しさが発現されてしまう虞があり、また樹木２の長さが小さくなりすぎた場合、目立たなくなって美観を発揮させることが困難となる虞がある。
【００３２】
生地１は工事現場に於ける足場を養生するのに必要なメッシュを有し、長さは２階建て用として用いられるものが主に６７５ｃｍ、９階建て用として用いられるものが主に９９０ｃｍに設定されている。また幅は６０ｃｍ〜１８０ｃｍに範囲で複数種類が設定されているが、本実施例では、幅１８０ｃｍのメッシュシートとして形成されている。
【００３３】
本実施例に於いて、縦長の絵柄として樹木２が形成される。このため、生地１の色は緑系であることが好ましく、生地１と樹木２とは色の濃さの違いとして表現されている。即ち、生地１の色はマンセル番号で７．５ＧＹ８／６（近似値）に設定され、また樹木２の色はマンセル番号で８．４Ｇ５．１／１０．９（インキ色）に設定されている。
【００３４】
樹木２の種類としては特に限定するものではないが、幹がスッキリと伸びた洋風種であることが好ましい。また樹木２の本数も特に限定するものではなく、生地１の幅寸法に対応して１本或いは２本の樹木２が形成されている。生地１に複数の樹木２を形成した場合、これらの樹木２の高さは同一であって良く、また異なる高さであっても良い。
【００３５】
本実施例のメッシュシートＡでは、縦長の絵柄としての樹木２に加えて、図２に示すような動物３を付加している。これらの動物３としては、犬（ワン）３ａ，猫（ニャン）３ｂ，小鳥３ｃ，蝶３ｄ，リス３ｅ等を上げることが可能であるが、これらの動物に限定するものではないのは当然であり、他の動物や子供の絵柄を付加しても良い。
【００３６】
即ち、メッシュシートＡの生地１に高さの異なる２本の樹木２を形成すると共に、これらの樹木２に動物３を配置した絵柄を形成することで、歩行者が接近したときに新たな発見による興味を発揮させることが可能である。特に、樹木２に隠れた小鳥３ｃやリス３ｅを探すことでも新たな発見をすることが可能となり、歩行者に対して強く働きかけることが可能となる。
【００３７】
上記メッシュシートＡは、生地１の一方の端部側（下端側）から縦長の絵柄となる樹木２を形成し、他方の端部側（上端側）には絵柄を形成していない。このメッシュシートＡで工事現場の足場を養生したとき、上端側が直接空と接続されることから、接近して見たときに樹木２や動物３ａ〜３ｅによる美観を発揮し得るものの、遠方から見たときに特別な工事現場であることを認識することは不可能である。
【００３８】
図３は第２実施例に係るメッシュシートＢを説明する図である。メッシュシートＢは、一方の端部側に縦長の絵柄となる樹木２とこの樹木２の周囲に動物３ａ〜３ｅが配置されており、他方の端部側に横長の絵柄４が形成されている。この横長の絵柄４は遠方からの視認性を確保し得ることが必要であり、単純で簡単な絵柄であることが好ましい。
【００３９】
横長の絵柄４は、幅がメッシュシートＢの生地１の幅方向の両側に所定寸法の空白部分を設けた幅寸法を有しており、高さは約８０ｃｍ〜約９０ｃｍ程度に設定されている。
【００４０】
従って、メッシュシートＣの略中央部から上端側にかけて約２００ｃｍ〜約２５０ｃｍ程度の空白部分５が形成されている。
【００４１】
横長の絵柄４としては特に限定するものではなく、例えば図４に示すような絵柄を用いることが可能である。即ち、同図（ａ）はヘーベルハウス（登録商標）のＨの字をイメージした絵柄４ａであり、同図（ｂ）は１本の太い横線と１本の細い横線とを組み合わせた絵柄４ｂであり、同図（ｃ）は両側に太い縦線と中央に細い縦線を組み合わせた絵柄４ｃであり、同図（ｄ）は１本の太い横線と３本の細い横線とを組み合わせた絵柄４ｄであり、同図（ｅ）は雲をイメージした絵柄４ｅである。
【００４２】
生地１の一方の端部側（上端側）に絵柄４ａ〜４ｅから選択された絵柄（例えば絵柄４ｂ）を形成することで、メッシュシートＢを構成することが可能である。このようなメッシュシートＢでは、工事現場の足場を養生したとき、遠方から視認して、例えば住宅メーカー或いは施工業者を認識することが可能となる。
【００４３】
図５は第１実施例に係るメッシュシートＡを並べて工事現場の足場を養生したときの全体を示す図である。複数枚のメッシュシートＡは縦長の絵柄となる樹木２が下端側に位置するように並べられ、隣接するメッシュシートＡの重ね部が所定の手段で係止される。メッシュシートＡは下端部が地面に接触しても良いが、長期間の設置に伴って泥等の汚れが付着するため、１０ｃｍ〜４０ｃｍ程度浮かせた状態としておくことが好ましい。
【００４４】
上記の如くしてメッシュシートＡを設置したとき、犬３ａや猫３ｂは地上から５０ｃｍ〜７０ｃｍ程度の高さとなり、子供達の目線に略一致する。このため、メッシュシートＡが道路に近い場合、通行人、特に子供達の関心を引くこととなり、これに付随して大人の関心を引くことも可能となる。
【００４５】
一般に、住宅の工事現場では、敷地と道路の境界に仮設フェンスが設置される。この仮設フェンスは地上から約１ｍ程度の目隠し板と、この上部に金網を配置したものであり、複数の仮設フェンスを並べることによって工事現場と道路とを区分している。
【００４６】
工事現場の周辺を通行する通行人は、仮設フェンスを通して足場の周りに設置されたメッシュシートＡを見ることになるが、ある程度離れた位置から絵柄を見ることによってこの絵柄を構成する動物３に惹かれ、メッシュシートＡにより接近して見たくなるような興味を起こすことがある。
【００４７】
このため、工事現場ではメッシュシートＡの設置に伴って、現場の整理整頓を実行し、且つ工事中の建物に至る通路を整地して確保し、通行人が気楽に入り込めるようにしている。即ち、工事現場がそのままの状態で、展示住宅と同様の機能を発揮し得るように構成されている。
【００４８】
敷地の入口から建物までのアプローチは、通行の妨げになる足場を撤去（根がらみや下から１段〜２段）し、且つアプローチ用の通路を設けると共に該通路にグランドコートを置くことで、安全性を確保し且つ外部から入り易くしておく。また敷地内には客の手洗い場となるシンク付仮設水道を配置し、グランドコートによる見学通路を明示しておく。建物の外周は整地し、上質土で覆うかグランドコートを置くことで整理，整頓を印象付ける。また建物内部は、階段や吹抜部分に仮設手摺を設け、点検口や床下収納等の床の開口には仮設蓋を設けておく。
【００４９】
上記の如く構成することで、来場した客の安全を確保し、見学中の客に安心感を与え、且つ客が土等によって汚れることなく、清潔な状態で帰ることが可能である。更に、工事現場をきれいに保つことで、施工業者の安全衛生をはかることが可能となり、ひいては建物内部の汚れも防止することが可能となる。
【００５０】
従って、メッシュシートＡに形成される樹木２や動物３ａ〜３ｅの絵柄は美観を発揮すると同時に、周囲を和ませるようなものであることが必要である。そして、この条件に合った絵柄として、樹木２，動物３ａ〜３ｅは好ましいものである。
【００５１】
更に、この例では、下端側に樹木２の絵柄が形成されると共に上端側に絵柄が形成されていないため、近くで見上げたとき、樹木２の上方が空につながっており、開放的な気分を発揮させる。従って、連続した複数枚のメッシュシートＡに於ける樹木２によって恰も林が現出したかの感を呈し、且つこの林の上方に大空が拡がるような開放感を呈する。
【００５２】
図６は第２実施例に係るメッシュシートＢを並べて工事現場の足場を養生したときの全体を示す図である。この例では、上端に横長の絵柄４が形成されているため、遠方からメッシュシートＢを視認することが可能である。
【００５３】
特に、住宅メーカー或いは施工業者が特定の横長の絵柄４を選択して形成した場合、遠方から横長の絵柄４を視認して工事中の住宅メーカーや施工業者を確認することが可能となる。従って、通行人に対して強い印象を与えると共に遠方の通行人に対しても印象付けることが可能となる。
【００５４】
図７は縦長の絵柄として針葉樹風の樹木６であって、２本の異なる高さの樹木６を形成したメッシュシートＣに関するものであり、図８は樹木６の高さを同じにしたメッシュシートＤに関するものである。これらの樹木６では絵柄の密度が高くなり、前述のメッシュシートＡ，Ｂと比較して重厚な感じを呈することが可能である。
【００５５】
そして工事現場に複数のメッシュシートＤを並べて設置することによって、工事現場の美観を向上させることが可能であり、且つ通行人の関心を引くことが可能となる。
【００５６】
【発明の効果】
以上詳細に説明したように本発明に係るメッシュシートでは、複数のメッシュシートを足場の周囲に並べて設置する際に、縦長の絵柄を形成した側の端部を地上側とすることで、縦長の絵柄を略地上から形成したように見せて工事中の住宅の近くを通行する人の視覚に訴えることが出来る。特に、縦長の絵柄として樹木を印刷しておきこのメッシュシートを多数枚連続的に設置することによって、工事中の住宅の周囲に恰も森林が出現したかの如き印象を与えることが出来、工事現場の環境を向上させることが出来る。
【００５７】
またメッシュシートの他方側の端部から所定長さ範囲に横長で遠方からの視認性を確保し得る絵柄を形成することによって、工事現場から離隔した遠方からこのメッシュシートを視認することが出来、遠方からでも工事中の住宅が存在することを認識することが出来る。
【００５８】
上記の如く、メッシュシートに絵柄を形成することによって、メッシュが確保され、該メッシュシートを工事現場に設置しても、内部の通気や明るさを確保することが出来る。
【００５９】
また本発明に係る工事中の住宅の展示方法では、上記メッシュシートによって足場を覆うことで、近くを通る通行人は略地上から形成された縦長の絵柄を視認することが出来、遠方を通る自動車や電車からは上端部分に形成された横長の絵柄を視認することが出来る。このため、縦長の絵柄を周辺の環境を向上させることが可能なもの、或いは通行人を注意を喚起し得るような絵柄とすることで工事現場であるにも関わらず、通行人の関心を高めることが出来る。また横長の絵柄を遠方から視認することで、視認したメッシュシートが工事中の住宅であることを認識することが可能となり、工事現場の案内機能を発揮させることが出来る。
【００６０】
特に、メッシュシートに形成する縦長の絵柄を周辺環境への配慮したものとすることで、周囲の住人との共生をはかり、且つ通行人の関心を得ることが可能である。このため、施工業者が特有の絵柄を選択することで識別性が向上し、且つ企業イメージをも向上させることが出来る。
【００６１】
そもそも住宅展示場は完成した住宅を展示するものであって、工事中の、即ち、内装や外装が未完成の梁や耐力壁，屋内面，床下の構造，気密，断熱、更に、給排水配管類や各種配線類の構造等をみることが出来ない。しかし、顧客はこれらの構造を見たいという要求を有しており、この要求に答えるためにも、メッシュシートの絵柄を工夫することで、メーカー，施工業者を識別して顧客に来場し易くすることが出来る。
【００６２】
そして工事現場の整理整頓と相まって、工事そのものに対する関心を引くことが出来、工事現場を展示場として機能させることが出来る。特に、来場した客の安全を確保し、見学中の客に安心感を与え、且つ客が土等によって汚れることなく、清潔な状態で帰ることが出来る。更に、工事現場をきれいに保つことで、施工業者の安全衛生をはかり、ひいては建物内部の汚れも防止することが出来る。
【００６３】
上記の如くして顧客が気軽に複数の同一メーカー，施工業者の工事現場を見て回ることで、住宅の特徴を良く理解することが出来る。従って、住宅展示場の代わりに、或いはそれ以上に活用することが出来る。
【図面の簡単な説明】
【図１】第１実施例に係るメッシュシートの構成を説明する図である。
【図２】縦長の絵柄に付加する絵柄の例を説明する図である。
【図３】第２実施例に係るメッシュシートを説明する図である。
【図４】横長の絵柄の例を説明する図である。
【図５】第１実施例に係るメッシュシートによって養生した工事現場の例を説明する図である。
【図６】第２実施例に係るメッシュシートによって養生した工事現場の例を説明する図である。
【図７】上記例とは異なる縦長の絵柄を用いたメッシュシートによって養生した工事現場の例を説明する図である。
【図８】上記例とは異なる縦長の絵柄を用いたメッシュシートによって養生した工事現場の例を説明する図である。
【符号の説明】
Ａ〜Ｄ                      メッシュシート
１                          生地
２，６                      樹木
３ａ                        犬
３ｂ                        猫
３ｃ                        小鳥
３ｄ                        蝶
３ｅ                        リス
４，４ａ〜４ｅ              横長の絵柄
５                          空白部分
【図１】
2004285724.tif 000003
【図２】
2004285724.tif 000004
【図３】
2004285724.tif 000005
【図４】
2004285724.tif 000006
【図５】
2004285724.tif 000007
【図６】
2004285724.tif 000008
【図７】
2004285724.tif 000009
【図８】
2004285724.tif 000010